(57)【要約】【課題】設置段階において熱源機の温水循環用のポンプ内の滞留水が凍結した場合に、通常の凍結防止制御によりポンプに通電するだけでは、解凍に時間がかかったり、ポンプがオーバーヒートしてポンプや基板に悪影響を及ぼす場合がある。【解決手段】熱源機のポンプ内に凍結した滞留水の凍結を解除する為の解凍運転モードを設定するスイッチを設け、このスイッチにより解凍運転モードが設定されたとき、制御装置によりポンプに間欠的に通電させてポンプの発熱で滞留水の凍結を解凍する解凍運転を行う。この解凍運転は、ポンプを所定時間ｔ１ＯＮしてからｔ２の間ＯＦＦする解凍サイクルを３回行う運転であり、解凍運転終了後に再度解凍運転モードが設定されても、解凍運転終了から設定時間ｔ３経過してから解凍運転を開始する。【選択図】図３
2008025882.tif 000002
【特許請求の範囲】
【請求項１】
温水を循環させるポンプを備えた熱源機において、
ポンプ内に凍結した滞留水の凍結を解除する為の解凍運転モードを設定するモード設定手段を設け、
前記モード設定手段により解凍運転モードが設定されたとき、ポンプに間欠的に通電させてポンプの発熱で滞留水の凍結を解凍する解凍運転を行う解凍制御手段と、
を備えたことを特徴とする熱源機。
【請求項２】
前記解凍運転は、ポンプを所定時間ＯＮしてからＯＦＦする解凍サイクルを複数回行う運転であることを特徴とする請求項１に記載の熱源機。
【請求項３】
雰囲気温度を検知する雰囲気温度検知手段を備え、前記解凍制御手段は雰囲気温度に対応付けて予め設定された複数とおりの前記所定時間から検知された雰囲気温度に対応する前記所定時間を選択することを特徴とする請求項２に記載の熱源機。
【請求項４】
前記解凍制御手段は、解凍サイクルの実行回数をカウントするカウント手段を備え、解凍サイクルが所定回数行われた後は解凍運転を終了することを特徴とする請求項２又は３に記載の熱源機。
【請求項５】
凍結の解凍が完了したことを検知する解凍完了検知手段を備え、この解凍完了検知手段により解凍の完了が検知されたときには、前記解凍制御手段は解凍運転を終了することを特徴とする請求項１〜３の何れかに記載の熱源機。
【請求項６】
前記解凍制御手段は、解凍運転の終了後、前記モード設定手段により再度解凍運転モードが設定された場合に、前回の解凍運転終了から設定時間が経過していないときは、設定時間経過後に解凍運転を開始することを特徴とする請求項１〜５の何れかに記載の熱源機。
【請求項７】
解凍運転モードが設定されていることを表示する表示手段を備えたことを特徴とする請求項１〜６の何れかに記載の熱源機。
【請求項８】
温水の循環経路に温水タンクを備え、前記解凍制御手段は、温水タンクの水位を検知する手段による検知結果に基づいて温水タンクの水位が一定以上であることを条件に解凍運転を行うことを特徴とする請求項１〜７の何れかに記載の熱源機。
【請求項９】
温水を循環させるポンプを備えた熱源機におけるポンプ内に凍結した滞留水の凍結を解除する方法において、
前記熱源機を制御する制御手段に解凍運転モードを設定する第１工程と、
次に、前記解凍運転モードにおいて前記制御手段によりポンプに間欠的に通電してポンプの発熱で滞留水の凍結を解凍する解凍運転を行う第２工程と、
を備えたことを特徴とする熱源機のポンプ凍結解除方法。
【発明の詳細な説明】
【技術分野】
【０００１】
本発明は、温水を循環させるポンプを備えた熱源機及びそのポンプ凍結解除方法に関し、特にポンプ内に凍結した滞留水を解凍する解凍運転に特徴を有するものに関する。
【背景技術】
【０００２】
暖房用の温水を循環させるポンプを備えた熱源機において、外気温が低下したとき温水循環経路やポンプ内に水が凍結することがある。熱源機が一旦設置されて運転が開始された後は、外気温が低下したとき凍結予防運転が行われるため温水の循環経路やポンプ内に水が凍結することはない。しかし、熱源機の設置段階においては、熱源機の製作後の検査運転終了時にポンプ内に滞留していた約５〜１０ｃｃ程度の水が凍結することがある。その凍結状態のまま熱源機の試運転を行うと、ポンプが正常に作動せずにオーバーヒートし、ポンプ内のモータやその周辺の基板に悪影響を及ぼすことがある。
【０００３】
他方、外気温が低い場合に、給湯器の配管やポンプ内の水が凍結するのを予防する為の種々の凍結予防運転技術が種々提案されている。例えば、特許文献１には、給湯機器の凍結防止のため、凍結温度を検知した際には循環ポンプに通電して凍結防止運転を行い、外気温に応じてポンプへの通電率を変えて消費電力を節減する給湯機器の凍結防止装置が開示されている。
【０００４】
特許文献２には、外気温が所定値以下になったとき、ポンプの容量に応じた所定周期毎にポンプに微小時間通電することにより、配管やポンプ内の水の凍結を予防するポンプの制御装置が開示されている。
特許文献３には、キャンドモータポンプ内の水温が低下したとき、低電圧電源からモータにロータを回転させない程度の電流を通電し、水温に応じて低電圧電源を制御し、モータへの通電により発生する熱で凍結を防止するキャンドモータポンプ用凍結防止装置が開示されている。
【０００５】
特許文献４には、ブラシレスモータの出力をワンウェイクラッチ（正転時のみトルク伝達）を介してポンプの羽根車に連結し、低温雰囲気のとき、凍結解凍のためモータを逆転方向へ所定時間回転させることでモータの昇温を図り、その後正転方向へ回転させ、その正転によりロック電流が発生する場合には再度モータを逆転させるのを繰り返す凍結対策技術が開示されている。
【０００６】
【特許文献１】実開平５−７９３４５号公報
【特許文献２】特公平７−９９１５７号公報
【特許文献３】特開平１１−１５３０９８号公報
【特許文献４】特開２００５−２９９６１７号公報
【発明の開示】
【発明が解決しようとする課題】
【０００７】
特許文献１の給湯器の凍結防止装置は、凍結防止のための装置であって凍結を解凍する為の装置ではないので、配管やポンプ内の水が凍結した状態で、凍結防止運転を実行すると、ロック状態のモータの発熱が大きく、モータやその付近の基板を損傷する虞がある。  特許文献２の装置も、凍結防止のための装置であって凍結を解凍する為の装置ではないので、所定周期ごとの微小時間のモータへの通電では解凍に多大の時間がかかり、解凍に適するものではない。
【０００８】
特許文献３の凍結防止装置も、凍結防止のための装置であって凍結を解凍する為の装置ではなく、凍結防止の為モータを回転させない程度の微小電流を供給するだけであるので、凍結を解凍するのに多大の時間がかかり、解凍に適したものではない。
特許文献４の装置は、凍結を解凍すること及び凍結を予防することが可能であるが、モータ出力軸と羽根車との間にワンウェイクラッチを装備する必要があり、ポンプの構造が複雑化し、製作コスト的に不利である。
【０００９】
本発明の目的は、温水循環用のポンプを備えた熱源機において、ポンプ内に凍結した滞留水をモータへの通電を介して能率的に解凍可能にすること、モータや基板に悪影響を及ぼすことなく解凍可能にすること、雰囲気温度に応じた解凍を行えるようにすること、ポンプの構造を複雑化することなく解凍可能にすること、などである。
【課題を解決するための手段】
【００１０】
請求項１の熱源機は、温水を循環させるポンプを備えた熱源機において、ポンプ内に凍結した滞留水の凍結を解除する為の解凍運転モードを設定するモード設定手段を設け、前記モード設定手段により解凍運転モードが設定されたとき、ポンプに間欠的に通電させてポンプの発熱で滞留水の凍結を解凍する解凍運転を行う解凍制御手段とを備えたことを特徴とするものである。
【００１１】
ポンプ内に凍結した滞留水の凍結を解除する為の解凍運転モードを設定するモード設定手段により、解凍運転モードが設定されたとき、解凍制御手段は、ポンプに間欠的に通電させてポンプの発熱で凍結した滞留水を解凍する解凍運転を行う。
【００１２】
請求項２の熱源機は、請求項１の発明において、前記解凍運転は、ポンプを所定時間ＯＮしてからＯＦＦする解凍サイクルを複数回行う運転であることを特徴としている。
請求項３の熱源機は、請求項２の発明において、雰囲気温度を検知する雰囲気温度検知手段を備え、前記解凍制御手段は雰囲気温度に対応付けて予め設定された複数とおりの前記所定時間から検知された雰囲気温度に対応する前記所定時間を選択することを特徴としている。
【００１３】
請求項４の熱源機は、請求項２又は３の発明において、前記解凍制御手段は、解凍サイクルの実行回数をカウントするカウント手段を備え、解凍サイクルが所定回数行われた後は解凍運転を終了することを特徴としている。
請求項５の熱源機は、請求項１〜３の何れかの発明において、凍結の解凍が完了したことを検知する解凍完了検知手段を備え、この解凍完了検知手段により解凍の完了が検知されたときには、前記解凍制御手段は解凍運転を終了することを特徴としている。
【００１４】
請求項６の熱源機は、請求項１〜５の何れかの発明において、前記解凍制御手段は、解凍運転の終了後、前記モード設定手段により再度解凍運転モードが設定された場合に、前回の解凍運転終了から設定時間が経過していないときは、設定時間経過後に解凍運転を開始することを特徴としている。
【００１５】
請求項７の熱源機は、請求項１〜６の何れかの発明において、解凍運転モードが設定されていることを表示する表示手段を備えたことを特徴としている。
請求項８の熱源機は、請求項１〜７の何れかの発明において、温水の循環経路に温水タンクを備え、前記解凍制御手段は、温水タンクの水位を検知する手段による検知結果に基づいて温水タンクの水位が一定以上であることを条件に解凍運転を行うことを特徴としている。
【００１６】
請求項９の熱源機のポンプ凍結解除方法は、温水を循環させるポンプを備えた熱源機におけるポンプ内に凍結した滞留水の凍結を解除する方法において、前記熱源機を制御する制御手段に解凍運転モードを設定する第１工程と、次に、前記解凍運転モードにおいて前記制御手段によりポンプに間欠的に通電してポンプの発熱で滞留水の凍結を解凍する解凍運転を行う第２工程とを備えたことを特徴としている。
【発明の効果】
【００１７】
請求項１の発明によれば、ポンプ内に凍結した滞留水の凍結を解除する為の解凍運転モードを設定するモード設定手段と、モード設定手段により解凍運転モードが設定されたとき、ポンプに間欠的に通電させてポンプの発熱で滞留水の凍結を解凍する解凍運転を行う解凍制御手段とを備えているため、ポンプへの間欠的な通電により解凍するため、ポンプ内に凍結した滞留水の解凍を確実に行うことができ、ポンプがオーバーヒートすることもなく、ポンプや基板への悪影響を防止できる。
【００１８】
請求項２の発明によれば、前記解凍運転は、ポンプを所定時間ＯＮしてからＯＦＦする解凍サイクルを複数回行う運転であるので、ポンプがオーバーヒートするのを防止しながらポンプを確実に温めて解凍することができる。
【００１９】
請求項３の発明によれば、請求項２の発明において、雰囲気温度を検知する雰囲気温度検知手段を備え、前記解凍制御手段は雰囲気温度に対応付けて予め設定された複数とおりの前記所定時間から検知された雰囲気温度に対応する前記所定時間を選択するため、雰囲気温度が高くなるほど前記所定時間を短くすることができ、雰囲気温度に応じた解凍運転を行うことができ、ポンプがオーバーヒートするのを確実に防止することができる。
【００２０】
請求項４の発明によれば、請求項２又は３の発明において、前記解凍制御手段は、解凍サイクルの実行回数をカウントするカウント手段を備え、解凍サイクルが所定回数行われた後は解凍運転を終了するため、ポンプがオーバーヒートするのを一層確実に防止することができる。
【００２１】
請求項５の発明によれば、凍結の解凍が完了したことを検知する解凍完了検知手段を備え、この解凍完了検知手段より解凍の完了が検知されたときには、前記解凍制御手段は解凍運転を終了するため、解凍完了後の無駄な解凍運転を確実に防ぐことができる。
【００２２】
請求項６の発明によれば、前記解凍制御手段は、解凍運転の終了後、前記モード設定手段により再度解凍モードが設定された場合に、前回の解凍運転終了から設定時間が経過していないときは、設定時間経過後に解凍運転を開始するので、解凍運転の終了後設定時間が経過しないうちに再度解凍運転を開始してポンプがオーバーヒートするのを確実に防止することができる。
【００２３】
請求項７の発明によれば、解凍運転モードが設定されていることを表示する表示手段を備えているため、解凍運転モードに入っていることを確実に知ることができる。
請求項８の発明によれば、温水の循環経路に温水タンクを備え、前記解凍制御手段は、温水タンクの水位を検知する手段による検知結果に基づいて温水タンクの水位が一定以上であることを条件に解凍運転を行うため、ポンプから温水の循環経路にエア混じりの水を供給するのを確実に防止することができる。
【００２４】
請求項９の熱源機のポンプ凍結解除方法は、熱源機を制御する制御手段に解凍運転モードを設定する第１工程と、次に解凍運転モードにおいて制御手段によりポンプに間欠的に通電してポンプの発熱で滞留水の凍結を解凍する解凍運転を行う第２工程とを備えているため、請求項１と同様の効果が得られる。
【発明を実施するための最良の形態】
【００２５】
本発明の熱源機は、温水を循環させるポンプ内に凍結した滞留水の凍結を解除する為の解凍運転モードを設定するモード設定手段を設け、このモード設定手段により解凍運転モードが設定されたとき、ポンプに間欠的に通電させてポンプの発熱で滞留水の凍結を解凍する解凍運転を行う解凍制御手段を設けたものである。
【実施例１】
【００２６】
以下、本発明の実施例について図面に基づいて説明する。
図１に示す熱源機１は、暖房端末２，３に温水を供給する為のものであり、この熱源機１は、ガス供給管４に設けられたガス比例弁５、暖房温水発生装置６、給水管７と、この給水管７に接続された膨張タンク８、キャンドモータが組み込まれたポンプ９、暖房温水戻り管１０、暖房低温水供給管１１、暖房高温水供給管１２、バイパス熱動弁３２ａ、制御ユニット１５などを有する。この熱源機１はケース１６内に収容されている。
暖房低温水供給管１１には低温暖房端末２が接続され、暖房高温水供給管１２には高温暖房端末３が接続され、低温暖房端末２と高温暖房端末３から戻る暖房温水は暖房温水戻り管１０により膨張タンク８へ還流するように構成されている。
【００２７】
暖房温水発生装置６は、燃焼管１７とガス電磁弁１８などを含む燃焼部１９、この燃焼部１９に空気を送る燃焼ファン２０、熱交換器２１、点火プラグ２２、立ち消え安全装置２３、バーナンサ２４、過熱防止装置２５、空だき安全装置２６、高温サーミスタ２７、回転数センサ２８など備えている。燃料ガスは、ガス導入口４ａからガス供給管４に供給されガス比例弁５を経て燃焼部１９に供給される。
【００２８】
水は給水口７ａから給水管７に供給され、水フィルター３０によりろ過されて膨張タンク８へ供給される。水フィルター３０のところに凍結予防ヒータ３１が設けられている。  膨張タンク８から熱交換器２１まで１次側入水管１３が延び、この１次側入水管１３から暖房低温水管１１が分岐している。熱交換器２１の２次側出湯管１４は暖房高温水管１２に接続されている。膨張タンク８の近くにポンプ９が配設され、このポンプ９が１次側入水管１３に介装されている。暖房温水戻り管１０はバイパス管３２，３３で暖房高温水供給管１２又は２次側出湯管１４に接続され、バイパス管３２にはバイパス熱動弁３２ａが介装されている。上記ポンプ９には、回転数検出用のエンコーダ４５が組み込まれている。
【００２９】
膨張タンク８には、水フィルター３５、補給水電磁弁３６、手動補給口３７、低温サーミスタ３８、低水位電極３９及び高水位電極４０などが設けられている。上記の低水位電極３９を介して膨張タンク８内の水位が所定の低レベル以上か否か検出され、高水位電極４０を介して膨張タンク８内の水位が所定の高レベル以上か否か検出される。ケース１６の下部の内部には、雰囲気温度（外気温）を検出する外気温サーミスタ４１が設けられている。
【００３０】
制御ユニット１５（これが、解凍制御手段に相当する）は、入出力インターフェイスやマイクロコンピュータを有し、このマイクロコンピュータのＲＯＭには、後述の解凍運転制御の制御プログラムが予め格納されている。熱源機１に装備されたセンサやスイッチ類からの信号が制御ユニット１５に入力され、制御ユニット１５から各制御対象機器へ駆動信号が出力される。  
【００３１】
特に、本願の解凍運転制御に必要な制御系について説明する。
図２に示すように、制御ユニット１５には、水張り試運転の運転モードを設定する水張り試運転スイッチ４３からの指令信号、エラー呼び出しスイッチ４４からの指令信号、外気温サーミスタ４１の検出信号、ポンプ９のエンコーダ４５からのエンコーダ信号、低水位電極３９と高水位電極４０の検出信号、その他のセンサ類やスイッチ類からの信号が供給される。制御ユニット１５には、７セグメントの表示器４２（表示手段）も設けられており、制御ユニット１５からは、ポンプ９を駆動する駆動信号（駆動電流）と、表示器４２を駆動する駆動信号が出力される。
【００３２】
次に、制御ユニットのマイクロコンピュータで実行される解凍運転制御について説明する。この解凍運転制御は、熱源機１の設置段階において、ポンプ９内に滞留している滞留水（約５〜１０ｃｃ）が凍結している場合に、ポンプ９へ間欠的に通電（ポンプ内のキャンドモータに通電）してポンプ９の発熱により凍結した滞留水を解凍する制御である。
【００３３】
この解凍運転制御の為に、マイクロコンピュータのＲＡＭには、解凍運転制御プログラムにより次のようなカウンタやタイマが設けられる。
「ポンプＯＮカウンタ」・・解凍運転中のポンプ９への通電回数をカウントする。
「ポンプＯＮタイマ」・・ポンプ９への連続的な通電時間を計時する。
「ポンプＯＦＦタイマ」・・ポンプ９への通電停止時間を計時する。
「連続操作回避タイマ」・・複数回（本実施例では３回）の間欠的通電からなる解凍運                            転の終了からの経過時間を計時する。
図３は、解凍運転においてポンプ９に間欠的に３回通電する通電動作を示すタイムチャートであり、図４、図５は、解凍運転制御のフローチャートである。
【００３４】
次に、解凍運転制御のフローチャートについて図４、図５に基づいて説明する。但し、図中のＳｉ（ｉ＝１，２・・）は各ステップを示す。また、以下の説明は、ポンプ凍結解除方法についての説明を含むものである。
制御ユニット１５への電源の投入によりこの解凍運転制御が開始され、最初に解凍運転指令が入力された否か判定される（Ｓ１）。この熱源機１では、保持形の水張りスイッチ４３がＯＮのとき、エラー呼び出しスイッチ４４を３秒間長押しすることで、解凍運転指令が入力されたと判定される。
解凍運転指令が入力されると、Ｓ２において、解凍運転モードフラグＦが「１」にセットされると共に、表示器４２に解凍運転モードに入っていることを示す「８」が表示されてその表示が保持される。次に、Ｓ３では、ポンプＯＮカウンタＮがＮ＝０にセットされる。
【００３５】
次に、Ｓ４では、前回の解凍運転の終了から設定時間（図３のｔ３で、例えばｔ３＝１０分）経過したか否か判定するため、連続操作回避タイマがアップしているか否か判定される。今回が最初の解凍運転である場合には、Ｓ４の判定はＹｅｓとなり、Ｓ５において低水位電極３９がＯＮか否か、つまり、膨張タンク８内に少なくとも低水位電極３９のレベルまで水が入っているか判定する。この判定がＮｏのときはＳ５が繰り返され、水張りの進行によりＳ５の判定がＹｅｓになるとＳ６へ移行する。
【００３６】
ここで、本実施例の場合、図３に示すように、解凍運転は、ポンプ９へ所定時間通電してから通電をＯＦＦする解凍サイクルを複数回（本実施例では３回）行う運転である。滞留水が凍結した状態のポンプ９のキャンドモータに通電すると、キャンドモータが発熱してポンプ内部に伝熱し凍結が徐々に解凍される。
解凍運転における間欠的通電の通電時間ｔ１は、外気温が５℃以下の場合は２７分とされ、外気温が５℃より高い場合は１７分とされ、通電停止時間ｔ２は３分とされている。これは、外気温が低いときの解凍を促進すると共に外気温が高いときにポンプ９がオーバーヒートするのを防止する為である。
【００３７】
次に、Ｓ６において、外気温サーミスタ４１からの検出信号に基づいて外気温が５℃以下か否か判定され、外気温が５℃以下の場合にはＳ７においてポンプＯＮタイマに２７分がセットされてポンプ９への通電が開始される。次に、Ｓ８ではポンプＯＮタイマがタイムアップしたか（２７分経過したか）否か判定され、その判定がＮｏのときはＳ９において、ポンプ９に付設されたエンコーダ４５からのエンコーダ信号に基づいて、ポンプ９が回転しているか否か判定され、最初はその判定がＮｏであるためＳ８へ戻り、Ｓ８，Ｓ９を繰り返し、２７分間通電してＳ８の判定がＹｅｓになると、Ｓ１３に移行する。
【００３８】
他方、外気温が５℃よりも高い場合には、Ｓ６からＳ１０へ移行し、Ｓ１０においてポンプＯＮタイマに１７分がセットされ、ポンプ９への通電が開始される。次に、Ｓ１１ではポンプＯＮタイマがタイムアップしたか（１７分経過したか）否か判定され、その判定がＮｏのときはＳ１２において、ポンプ９に付設されたエンコーダ４５からのエンコーダ信号に基づいて、ポンプ９が回転しているか否か判定され、最初はその判定がＮｏであるためＳ１１へ戻り、Ｓ１１，Ｓ１２を繰り返し、１７分間通電してＳ１の判定がＹｅｓになると、Ｓ１３へ移行する。
【００３９】
Ｓ１３では、ポンプ９への通電が停止され且つポンプＯＮカウンタＮが「１」だけインクリメントされ、次のＳ１４では、ポンプＯＮカウンタのカウント値が３未満か否か判定され、その判定がＹｅｓのときはＳ１５においてポンプＯＦＦタイマに３分がセットされ、次にＳ１６において３分経過した否か判定され、３分経過前はＳ１６が繰り返され、３分の通電停止時間が経過すると、Ｓ５へ移行してＳ５以降が上記と同様に繰り返される。  そして、間欠的通電を実行している間に、ポンプ９内の凍結した滞留水の解凍が運行してポンプ９が回転開始した場合には、Ｓ９又はＳ１２の判定がＹｅｓとなる。
【００４０】
Ｓ９の判定がＹｅｓになると、Ｓ１７においてポンプ９への通電が停止され、ポンプＯＮカウンタがクリアされ、次のＳ１８では解凍運転モードを解消するためにフラグＦが０にリセットされ、表示器４２の表示が「８」以外の表示（例えば、「０」の表示）に切り換えられる。Ｓ１２の判定がＹｅｓになると、Ｓ１９においてポンプ９への通電が停止され、ポンプＯＮカウンタがクリアされ、次のＳ２０では解凍運転モードを解消するためにフラグＦが０にリセットされ、表示器４２の表示が「８」以外の表示（例えば、「０」の表示）に切り換えられる。
【００４１】
また、ポンプ９への通電が３回実行されると、Ｓ１４の判定がＮｏとなってＳ２１へ移行し、Ｓ２１においてポンプ９への通電が停止され、連続操作回避タイマに１０分（図３のｔ３）がセットされ、ポンプＯＮカウンタがクリアされ、次にＳ２２において、解凍運転モードを解消するためにフラグＦが０にリセットされ、表示器４２の表示が「８」以外の表示（例えば、「０」の表示）に切り換えられ、その後Ｓ１へリターンする。
【００４２】
外気温が非常に低く、最初の解凍運転（３回の通電）を実行してもポンプ９が回転開始しない場合には、操作者は再度解凍運転指令を入力する。その場合、Ｓ１〜Ｓ３が上記と同様に実行され、Ｓ４において連続操作回避タイマがタイムアップしたか否か、つまり、前回の解凍運転終了から１０分経過したか否か判定され、１０分経過してない場合にはＳ４を繰り返しつつ待機し、連続操作回避タイマがタイムアップしてからＳ５へ移行する。  このように、連続操作回避タイマとＳ４のステップを設けたため、前回の解凍運転終了後、十分な時間経過しないうちに直ぐに、再度解凍運転が実行されるのを確実に防止して、解凍運転によるポンプ９のオーバーヒートを防止することができる。
【００４３】
以上説明したように、解凍運転においては、ポンプ９への間欠的通電が最大３回実行されるが、３回通電しないうちに凍結が解凍されてポンプ９が回転開始した場合には、解凍運転が終了し、解凍運転モードが解除される。解凍運転の実行後に、再度解凍運転指令が入力されたとしても、連続操作回避タイマにセットした１０分が経過しないうちは、解凍運転が実質的には開始されず、１０分が経過してから解凍運転が実質的に開始される。
【００４４】
ポンプ９への間欠的な通電により解凍するため、ポンプ９内に凍結した滞留水の解凍を確実に行うことができ、ポンプ９がオーバーヒートすることもなく、ポンプ９や基板への悪影響を防止できる。解凍運転は、ポンプ９を所定時間（１７分又は２７分間）ＯＮしてから３分間ＯＦＦする解凍サイクルを複数回行う運転であるので、ポンプ９がオーバーヒートするのを防止しながらポンプ９を確実に温めて解凍することができる。
【００４５】
雰囲気温度を検知する外気温サーミスタ４１を有し、外気温に対応付けて予め設定された２とおりの通電時間（２７分、１７分）から、検知された外気温に対応する通電時間を選択するため、外気温が高くなるほど通電時間を短くすることができ、外気温に応じた解凍運転を行うことができ、ポンプ９がオーバーヒートするのを確実に防止することができる。解凍サイクルの実行回数をカウントするポンプＯＮカウンタを有し、解凍サイクルが３回行われた後は解凍運転を終了するため、ポンプ９がオーバーヒートするのを一層確実に防止することができる。
【００４６】
ポンプ９のエンコーダ４５からのエンコーダ信号に基づいて凍結の解凍が完了したことを検知するように構成し、解凍の完了が検知されたときには解凍運転を終了するため、解凍完了後の無駄な解凍運転を確実に防ぐことができる。
解凍運転の終了後、再度解凍運転モードが設定された場合に、前回の解凍運転終了から設定時間（１０分）が経過していないときは、設定時間経過後に解凍運転を開始するので、解凍運転の終了後設定時間が経過しないうちに再度解凍運転を開始してポンプ９や基板がオーバーヒートするのを確実に防止することができる。
【００４７】
解凍運転モードが設定されていることを表示する表示器４２を備えているため、解凍運転モードに入っていることを確実に知ることができる。温水の循環経路に膨張タンク８（これが、温水タンクに相当する）を有し、膨張タンク８の水位を検知する低水位電極３９による検知結果に基づいて膨張タンク８の水位が一定以上であることを条件に解凍運転を開始するため、ポンプ９から温水の循環経路にエア混じりの水を供給するのを確実に防止することができる。
【００４８】
次に、前記実施例を部分的に変更する例について説明する。
（１）前記実施例は、暖房端末２，３に温水を供給する熱源機を例にして説明したが、給湯器などの熱源機にも同様に本発明を適用可能である。
（２）解凍運転における、通電時間ｔ１（２７分又は１７分）、通電停止時間ｔ２（３分）、解凍運転終了から次回の解凍運転開始までの連続操作回避時間ｔ３（１０分）などは、一例に過ぎず、ポンプ９の容量や熱源機１の設置地域などに応じて、適宜変更することも可能であるから、ｔ１＝２７分又は１７分、ｔ２＝３分、ｔ３＝１０分については一例を示すものに過ぎず、これらの時間に限定されるものではない。
【００４９】
（３）解凍運転における通電回数３回も、前記同様にポンプ９の容量や熱源機の設置地域などに応じて、適宜変更することも可能であるから、一例を示すものに過ぎず、３回よりも少ない回数でもよく、３回よりも多い回数でもよい。
（４）外気温については、外気温を５℃以下、５℃超で仕切るのではなく、外気温を３段階以上に区分し、外気温の増大に応じて小さくなる３通り以上の通電時間を採用してもよい。
【００５０】
（５）解凍運転モードを、水張りスイッチ４３とエラー呼び出しスイッチ４４とで設定するのではなく、解凍運転モードを設定する為の専用のスイッチを設けてもよい。
（６）解凍完了を検知する手段として、前記実施例ではポンプ９に設けたエンコーダ４５のエンコーダ信号に基づいてポンプ９回転を検知することで解凍の完了を判定したが、これ以外に、例えば、循環経路（１次側入水管１３など）に水流スイッチを設け、この水流スイッチにより水流が検知されたときに解凍が完了したと判定してもよい。
（７）その他、当業者ならば、本発明の趣旨を逸脱することなく、前記実施例に種々の変更を付加した形態で実施可能であり、本発明はそのような種々の変更形態をも包含するものである。
【図面の簡単な説明】
【００５１】
【図１】本発明の実施例に係る熱源機の構成図である。
【図２】解凍運転制御に関連する制御系のブロック図である。
【図３】解凍運転においてポンプへ間欠的に通電する通電動作のタイムチャートである。
【図４】解凍運転制御のフローチャートの一部である。
【図５】解凍運転制御のフローチャートの残部である。
【符号の説明】
【００５２】
１          熱源機
９          ポンプ
１５        制御ユニット（解凍制御手段）
３９        低水位電極
４０        高水位電極
４１        外気温サーミスタ（雰囲気温度検知手段）
４２        表示器（表示手段）
４３        水張りスイッチ（解凍運転モード設定手段の一部）
４４        エラー呼び出しスイッチ（解凍運転モード設定手段の一部）
４５        エンコーダ（解凍完了検知手段）
【図１】
2008025882.tif 000003
【図２】
2008025882.tif 000004
【図３】
2008025882.tif 000005
【図４】
2008025882.tif 000006
【図５】
2008025882.tif 000007